(57)【要約】【課題】液晶表示装置への物体接近を検出するための赤外線ＬＥＤと近接センサを実装しても、筐体が大型化しない電子機器を提供する。【解決手段】エッジライト方式の光源２６と導光板２１と液晶パネル２０を含む液晶表示装置１５を備える電子機器１０において、液晶パネル２０への物体の接近を、光源２６と並んで配置されて導光板２１中に赤外線を出射する２つの赤外線ＬＥＤ３１，３３と、導光板２１から液晶パネルに入射する赤外線を所定領域３６Ａ，３６Ｂを除いて遮断する赤外線遮断板３６と、所定領域３６Ａ，３６Ｂから隔てた位置に配置されて赤外線を液晶パネル２０に垂直な方向に出射する赤外線ＬＥＤ３２と、赤外線の物体による反射を検出する近接センサ３４及び制御装置３７とから構成される光学式物体検出装置で検出する電子機器１０である。赤外線ＬＥＤ３２と近接センサ３４は一体型センサ３５にできる。【選択図】図４
2013061555.tif 000002
【特許請求の範囲】
【請求項１】
光源と導光板と液晶パネルとを有する液晶表示装置を備え、前記液晶表示装置への物体の接近を光学的に検出する電子装置であって、
前記導光板の端部に沿って配置された前記光源と並んで配置され、赤外線が前記液晶表示装置の表示画面から出射される少なくとも１つの赤外線発光素子と、
前記導光板と前記液晶パネルとの間に介在され、前記少なくとも１つの赤外線発光素子から出射された赤外線を透過する赤外線透過領域を備える赤外線遮断板と、
前記赤外線透過領域から隔てた位置に設置され、赤外線を前記表示画面に対して垂直な方向に出射する赤外線発光素子と、
赤外線の前記物体による反射光を検出する近接センサ、及び
前記近接センサからの赤外線の反射光の検出信号により前記物体の前記表示画面への接近を検出する制御装置とを備えることを特徴とする電子機器。
【請求項２】
前記光源と並んで配置される赤外線発光素子が第１と第２の２つの赤外線発光素子であり、前記赤外線透過領域から隔てた位置に配置された赤外線発光素子が第３の赤外線発光素子であり、前記近接センサが３軸の赤外線の反射を検出することを特徴とする請求項１に記載の電子機器。
【請求項３】
前記光源が発光ダイオードであり、前記発光ダイオードと並んで配置される赤外線発光素子により前記導光板を通じて照明される前記液晶パネルに輝度ムラが生じる時は、前記発光ダイオードの輝度を調整することを特徴とする請求項１又は２に記載の電子機器。
【請求項４】
赤外線と可視光を透過する第１の透過フィルタを作成し、
前記第１の透過フィルタの赤外線が透過する領域をマスクし、
前記第１の透過フィルタに赤外線の透過を遮断する第２のフィルタを蒸着して形成することを特徴とする電子機器に実装される赤外線遮断板の製造方法。
【発明の詳細な説明】
【技術分野】
【０００１】
本出願は電子機器及び該電子機器に実装される赤外線遮断板の製造方法に関する。以下に説明される実施の形態では電子機器の実施例として、一般的に携帯電話機を指すフィーチャーフォンや、携帯電話機よりも高機能であるスマートフォンが説明される。これらフィーチャーフォンやスマートフォンの中には、赤外線ＬＥＤと近接センサとを用いて物体の接近を検出することができるものがある。
【背景技術】
【０００２】
従来、携帯電話機等の電子機器では、入力装置としてキーボードに代わり、画像表示器にタッチパネルを組み込み、画像表示器に表示された画像を見ながらタッチパネルにタッチして操作を行ったり情報を入力するものが普及している。また、画像表示器にタッチすることなく、画像表示器の画面の前方で手や物を動かすだけで、操作したり情報を入力できる無接触情報入力装置がある。
【０００３】
このような無接触情報入力装置の１つが特許文献１に記載されている。特許文献１に記載の無接触情報入力装置では、導光板の四隅に配置した光源から導光板内に光を入射し、導光板背面の光散乱構造で光を偏向させて光出射面から上方に出射し、対象物体で反射した光を光検出器で検出して対象物体の二次元位置を検出している。
【０００４】
更に近年、スマートフォンが普及しつつある。スマートフォンは一体型の筐体を備えてキーボードを搭載していないものがある。そのようなスマートフォンは、一般に筐体の前面全体に設けられた画像表示器にタッチパネルが内蔵されており、操作や情報入力はタッチパネルを用いて行われる。このようなスマートフォンには各種センサが搭載されており、スマートフォンの使用条件に応じてセンサが必要な状態を検出し、スマートフォンの利便性を高めている。
【０００５】
近接センサはスマートフォンに搭載されたセンサの１つであり、赤外線を出射する赤外線発光ダイオード（以後、赤外線ＬＥＤと呼ぶことがある。あるいは赤外線発光素子と呼ぶことがある。）とで光学式の物体検出装置を構成する。光学式物体検出装置はスマートフォンに接近する物体を検出する。スマートフォンにおける近接センサは、例えば、通話時にスマートフォンの画像表示器に設けられたタッチパネルにユーザの人体の一部が接触してスマートフォンが誤動作するのを防止するのに使用される。例えば、近接センサは、通話時にスマートフォンの受話口への耳等の物体の接近を検出し、タッチパネルへの入力をオフにして誤動作を防ぐのに使用される。また、近接センサが受話口への耳等の物体の接近を検出した時は、画像表示器のバックライトもオフにされるので、スマートフォンの消費電力が抑えられる。
【０００６】
赤外線ＬＥＤと近接センサを備えた光学式の物体検出装置は、画像表示器に直接触れることなく電子機器への入力を行うことができるので、タッチパネルを搭載していない電子機器であっても電子機器を操作することができる。このような光学式物体検出装置は、例えば、電子ブックリーダ等に搭載することができる。電子ブックリーダでは、画像表示器の表示画面の前方で手を左から右に動かすと、表示画面に表示された本のページをめくることができたり、親指と人差し指を開く動作で文字が拡大され、閉じる動作で文字が縮小されたりする。
【０００７】
光学式物体検出装置を備えた従来の電子機器として図１を用いて説明する。図１（ａ）は、赤外線ＬＥＤ１，２，３と近接センサ４とを備えた電子機器５の平面図である。この電子機器５は、例えばスマートフォンであり、中央にエッジライト方式のバックライトで照明される画像表示器６があり、この画像表示器６にはタッチパネルが組み込まれている。赤外線ＬＥＤ１，２，３は、図１（ｂ）に示すように、赤外線ＩＲを画像表示器６の表示画面に対して垂直な方向に出射する。電子機器５の画像表示器６の周囲、特に長手方向の筐体縁部７に、赤外線ＬＥＤ１，３が配置される。電子機器の画像表示器６の周囲、特に短手方向の筐体縁部７に赤外線ＬＥＤ２と近接センサ４が配置される。
【０００８】
そして、複数の赤外線ＬＥＤ１，２，３から画像表示器６の表示画面に対して前方に向けて出射された赤外線が表示画面の前方にある手等の対象物で反射されると、反射光が近接センサ４に入力されて対象物の存在が検出される。例えば、電子機器５の画像表示器６の表示画面の前方で手を動かすと、各赤外線ＬＥＤ１，２，３から出射された赤外線の反射光の時間ずれが近接センサ４で検出されて手の動いた方向が検出され、電子機器５に予め記憶されている手の動きのパターンに応じて、画像表示器６の表示内容が変更される。
【先行技術文献】
【特許文献】
【０００９】
【特許文献１】特開２０１１−３９９５８号公報
【発明の概要】
【発明が解決しようとする課題】
【００１０】
しかしながら、従来の光学式物体検出装置は、電子機器の画像表示器の周囲、特に長手方向の筐体縁部に赤外線センサが実装されているので電子機器の幅Ｗ方向の筐体が大型化し、電子機器の小型化、薄型化を実現するための障害になっているという問題点があった。例えば、特許文献１に開示の情報入力装置では、位置検出光の光源が導光板の周囲に配置されているので、情報入力装置を備えた電子機器の本体のサイズが大きくなっている。
【００１１】
本出願は、筐体が大型化しない電子機器及び該電子機器に実装される赤外線遮断板の製造方法を提供することを目的としている。
【課題を解決するための手段】
【００１２】
前記目的を達成する本出願の電子機器は、光源と導光板と液晶パネルとを有する液晶表示装置を備え、液晶表示装置への物体の接近を光学的に検出する電子装置であって、導光板の端部に沿って配置された光源と並んで配置され、赤外線が液晶表示装置の表示画面から出射される少なくとも１つの赤外線発光素子と、導光板と液晶パネルとの間に介在され、少なくとも１つの赤外線発光素子から出射された赤外線を透過する赤外線透過領域を備える赤外線遮断板と、赤外線透過領域から隔てた位置に設置され、赤外線を表示画面に対して垂直な方向に出射する赤外線発光素子と、赤外線の物体による反射光を検出する近接センサ、及び近接センサからの赤外線の反射光の検出信号により物体の表示画面への接近を検出する制御装置とを備えることを特徴としている。
【００１３】
また、前記目的を達成する本出願の電子機器に実装される赤外線遮断板の製造方法は、赤外線と可視光を透過する第１の透過フィルタを作成し、第１の透過フィルタの赤外線が透過する領域をマスクし、第１の透過フィルタに赤外線の透過を遮断する第２のフィルタを蒸着して形成することを特徴としている。
【図面の簡単な説明】
【００１４】
【図１】（ａ）は従来の赤外線ＬＥＤと近接センサを備えた電子機器の平面図、（ｂ）は（ａ）に示した電子機器からの赤外線の出射方向を示す側面図である。
【図２】（ａ）は本出願の電子機器の一例の外観を示す斜視図、（ｂ）は（ａ）に示した電子機器の内部の構成を示す分解斜視図である。
【図３】図２（ｂ）に示した液晶表示装置の構成を示す組立斜視図である。
【図４】（ａ）は本出願の一実施例の光学式物体検出装置を示す図、（ｂ）は（ａ）における赤外線ＬＥＤの配置の別の例を示す図である。
【図５】（ａ）は図２（ｂ）に示した液晶表示装置の組立後の構成とＤ−Ｄ線で示す断面位置を示す斜視図、（ｂ）は図２（ｂ）に示した液晶表示装置の組立後の構成とＥ−Ｅ線で示す断面位置を示す斜視図である。
【図６】（ａ）から（ｃ）は、図３に示した赤外線遮断板の製造方法を示す工程図である。
【図７】（ａ）は本出願の液晶表示装置に使用する赤外線ＬＥＤの外観を示す斜視図、（ｂ）は（ａ）に示した赤外線ＬＥＤのＢ−Ｂ線における縦断面図、（ｃ）は本出願の液晶表示装置に使用する一体型センサの外観を示す斜視図、（ｄ）は液晶表示装置におけるバックライト用のＬＥＤからの出射光の光路を示す図５（ａ）に示したＤ−Ｄ線における断面図、（ｅ）は液晶表示装置における赤外線ＬＥＤからの出射光の光路を示す図５（ｂ）に示したＥ−Ｅ線における断面図である。
【図８】本出願の光学式物体検出装置が搭載された電子機器であるスマートフォンの平面図である。
【図９】図８に示したスマートフォンにおける近接物体の検出を説明する斜視図である。
【図１０】本出願の他の実施例の光学式物体検出装置を示す図である。
【発明を実施するための形態】
【００１５】
以下、添付図面を用いて本出願の実施の形態を、具体的な実施例に基づいて詳細に説明する。
【００１６】
本出願は、光学式物体検出装置を搭載する従来のエッジライト方式のバックライトを有する液晶表示装置を備えた電子機器における問題点を解消するものである。即ち、電子機器に光学式物体検出装置を搭載しても、電子機器の小型化を実現するようにするものである。更に本出願は赤外線ＬＥＤと近接センサの配置の自由度が得られるようにするものである。図２（ａ）は本出願の電子機器であるスマートフォン１０を示すものである。スマートフォン１０は、図２（ｂ）に示すように、種々の電子部品１３が実装された制御用の回路基板１４を搭載する下筐体１１と、液晶表示装置１５と表面ガラス１６を搭載する上筐体１２を備える。
【００１７】
図３は、図２（ｂ）に示した液晶表示装置１５の構成を示す組立斜視図である。画像表示器の一例である液晶表示装置１５は、図３に示すように、液晶パネル２０、導光板２１、バックライト用ＬＥＤ２２、反射板２３、バックライト用偏光板２４及びカラーフィルタ２５を備えて構成される。本出願の液晶表示装置１５には、これらに加えて赤外線遮断板３６がある。図３に示した液晶表示装置１５の組立後の状態が図５（ａ）、（ｂ）に示される。バックライト用ＬＥＤ２２は導光板２１の側面に複数個並んでＬＥＤアレイ２６を形成している。つまり、バックライト用ＬＥＤ２２は、液晶表示装置１５の短手方向の側面に並んで配置される。
【００１８】
ＬＥＤアレイ２６から出射された光は導光板２１の側面から内部に入射される。導光板２１の上面は平坦面である。一方、導光板２１の底面は、平坦ではあるが、ＬＥＤアレイ２６から遠ざかるにつれて次第に上面に近づくように傾斜している。傾斜した底面には、ＬＥＤアレイ２６から入射された光を上面方向に反射する反射板２３が設けられている。反射板２３には導光板２１側の面に図示しないドットパターンが印刷されている。側面から入射されて導光板２１内を反射しながら進んできた光は、ドットパターンにぶつかると上方に反射されて液晶パネル２０に到達して液晶パネル２０を照明する。バックライト用偏光板２４及びカラーフィルタ２５の機能は周知であるので説明を省略する。
【００１９】
赤外線遮断板３６は、液晶表示装置１５の導光板２１の上面側に重ねて配置されるものであり、赤外線ＬＥＤ３１、３３からの赤外線の出射方向の所定箇所に、それぞれ赤外線透過領域３６Ａ，３６Ｂを備えている。赤外線透過領域３６Ａ，３６Ｂ以外の場所では、赤外線は赤外線遮断板３６を透過することができない。つまり、本出願における液晶表示装置１５は、図３に示す導光板２１とバックライト用偏光板２４の間に赤外線遮断板３６を介在させ、ＬＥＤアレイ２６の両端部に赤外線ＬＥＤ３１、３３が配置されて構成されるものである。
【００２０】
赤外線ＬＥＤ３１、３３の配置はＬＥＤアレイ２６の両端部でなくとも良く、ＬＥＤアレイ２６を構成するバックライト用ＬＥＤ２２の隙間に配置しても良い。赤外線ＬＥＤ３１、３３の配置については、後に詳述する。
【００２１】
図４（ａ）は本出願の一実施例の光学式物体検出装置を示すものである。なお、以後の本出願の光学式物体検出装置の説明において、図１から図３で説明した部材と同じ部材には同じ番号を付して説明する。本出願の光学式物体検出装置は、赤外線ＬＥＤ３１〜３３、近接センサ３４、赤外線遮断板３６及び中央処理装置（ＣＰＵ）３７を備えている。上記赤外線ＬＥＤのことを赤外線発光素子と呼ぶことがある。
【００２２】
赤外線ＬＥＤ３１、３３は、液晶表示装置１５の導光板２１に対してＬＥＤアレイ２６と同じ短手方向の端部に設置され、この実施例ではＬＥＤアレイ２６の両端部に設置される。ＬＥＤアレイ２６の全長に赤外線ＬＥＤ３１、３３の長さを加えた長さは、液晶表示装置１５の横幅以内である。赤外線ＬＥＤ３１、３３から出射される赤外線の出射方向は、ＬＥＤアレイ２６からの照明光の出射方向と同じ方向である。赤外線は導光板２１に入射される。なお、ＬＥＤアレイ２６の両端部への赤外線ＬＥＤ３１、３３の設置により、ＬＥＤアレイ２６の両端部において照明光が弱くなる場合は、ＬＥＤアレイ２６の両端部のバックライト用ＬＥＤ２２の輝度を、他のバックライト用ＬＥＤ２２の輝度より高くする。
【００２３】
赤外線ＬＥＤ３２は、ＬＥＤアレイ２６が設置される導光板２１の端部と反対側の短手方向の端部に設置される。また、近接センサ３４は赤外線ＬＥＤ３２と同じ側の導光板２１の端部であって、赤外線ＬＥＤ３２の近くに配置される。この実施例では、赤外線ＬＥＤ３２は、近接センサ３４と一体的に形成されて一体型センサ３５となっている。赤外線ＬＥＤ３２、３２、３３は近接センサ３４に接続されており、近接センサ３４はＣＰＵ３７に接続されている。赤外線ＬＥＤ３２、３２、３３の発光はこの実施例では近接センサ３４によって制御される。また、ＬＥＤアレイ２６の発光は、ＣＰＵ３７からの信号によって行われ、近接センサ３４で検出された信号はＣＰＵ３７によって解析される。赤外線ＬＥＤ３２、３２、３３の発光はＣＰＵ３７からの信号によって行われても良い。
【００２４】
なお、赤外線ＬＥＤ３１、３３の配置はＬＥＤアレイ２６の両端部でなくとも良く、図４（ｂ）に示すようにＬＥＤアレイ２６を構成するバックライト用ＬＥＤ２２の隙間に配置しても良い。この場合は、赤外線遮断板３６に設けられる赤外線透過領域３６Ａ，３６Ｂの位置も変化する。赤外線透過領域３６Ａ，３６Ｂの設置場所は、赤外線ＬＥＤ３１、３３からの赤外線の出射方向の所定箇所である。赤外線ＬＥＤ３１、３３の設置により、ＬＥＤアレイ２６からの照明光にムラが生じる場合は、赤外線ＬＥＤ３１、３３の近くのバックライト用ＬＥＤ２２の輝度を他のバックライト用ＬＥＤ２２の輝度より高くして調整する。
【００２５】
図６（ａ）から（ｃ）は図３に示した赤外線遮断板３６の製造方法を示すものである。赤外線遮断板３６を製造する場合は、図６（ａ）に示すように、導光板２１と同じサイズの赤外線透過・可視光透過フィルタ４１を作成する。赤外線透過・可視光透過フィルタ４１は、赤外線及び可視光を透過するフィルタである。次に、図６（ｂ）に示すように、赤外線透過・可視光透過フィルタ４１において赤外線透過が必要な領域にマスク４３を施し、この状態の赤外線透過・可視光透過フィルタ４１に赤外線カットフィルタ４２を蒸着する。この結果、図６（ｃ）に示すような、可視光は全て透過させると共に、必要な領域３６Ａ，３６Ｂ（マスク４３を施した部分）のみ赤外線を透過させることが可能な可視フィルタである赤外線遮断板３６を製造することが出来る。
【００２６】
図７（ａ）は、本出願の光学式物体検出装置に使用する赤外線ＬＥＤ３１の外観を示す斜視図である。バックライト用ＬＥＤ２２と赤外線ＬＥＤ３３の構成は、赤外線ＬＥＤ３１と同様であるので、ここでは代表して赤外線ＬＥＤ３１の説明を行い、バックライト用ＬＥＤ２２と赤外線ＬＥＤ３３の説明は省略する。赤外線ＬＥＤ３１はその本体３１０の側面に赤外線出射口３１４を備える。本体３１０の内部には、図７（ａ）のＢ−Ｂ線における縦断面図である図７（ｂ）に示すように、電極が形成されたリードフレーム３１１があり、リードフレーム３１１の上にＬＥＤチップ３１２が設けられている。本体３１０の赤外線出射口３１４とＬＥＤチップ３１２の間の空間の内周面には反射層３１５が形成され、反射層３１５の内側は透明な樹脂３１３で充填されている。
【００２７】
図７（ｃ）は本出願の液晶表示装置に使用する一体型センサ３５の外観を示す斜視図である。一体型センサ３５は、その本体３５０に赤外線ＬＥＤ３２と近接センサ３４の両方が設けられているものである。一体型センサ３５に内蔵された近接センサ３４には、赤外線ＬＥＤを駆動する回路が３チャンネル内蔵されており、赤外線ＬＥＤ３２と一体型センサ３５の近傍に配置した他の２つの赤外線ＬＥＤ３１，３３を時分割で発光させることができる。そして、近接センサ３４は、受光した各赤外線ＬＥＤ３１〜３３からの赤外線の反射光の位相差を解析し、各赤外線を反射させた物体の動きを捉えることができる。
【００２８】
図７（ｄ）は、本出願の液晶表示装置におけるバックライト用のＬＥＤ２２からの出射光の光路を示すものであり、図５（ａ）のＤ−Ｄ線における断面図である。バックライト用のＬＥＤ２２は図示しない回路基板に取り付けられている。バックライト用のＬＥＤ２２から出射された光は、導光板２１内を反射しながら進み、前述のドットパターンに当たると上方に反射して液晶パネル２０を照明する。
【００２９】
図７（ｅ）は、本出願の液晶表示装置における赤外線ＬＥＤ３１〜３３からの出射光の光路を示すものであり、図５（ｂ）のＥ−Ｅ線における断面図である。赤外線ＬＥＤ３１、３３は図示しない回路基板に取り付けられている。赤外線ＬＥＤ３２は一体型センサ３５に内蔵されている。赤外線ＬＥＤ３１、３３から出射された赤外線は、導光板２１内を反射しながら進み、前述のドットパターンに当たると上方に反射されるが、殆どの赤外線は赤外線遮断板３６によって遮断される。一方、ドットパターンに当たって上方に反射された赤外線のうち、赤外線透過領域３６Ａ，３６Ｂに達した赤外線ＩＲ１．ＩＲ３は赤外線遮断板３６を透過し、液晶パネル２０を透過して液晶表示装置１５の表示画面１７の上方に出射される。一体型センサ３５から出射された赤外線ＩＲ２は、そのまま液晶表示装置１５の上方に出射される。
【００３０】
図８は、本出願の光学式物体検出装置が搭載された電子機器であるスマートフォン１０の平面図であり、表示画面１７の上の赤外線透過領域３６Ａ，３６Ｂ及び一体型センサ３５の配置の一例を示している。本出願の光学式物体検出装置の赤外線ＬＥＤは、スマートフォン１０の表示画面１７の長手方向の外側の筐体縁部１８に設けられていない。このため、スマートフォン１０の筐体幅Ｖを、図１に示した従来の電子機器５の筐体幅Ｗよりも小さくすることができる。或いは、スマートフォン１０の筐体サイズを従来の電子機器５と変わらないとすると、筐体縁部１８の幅が従来の電子機器５の筐体縁部７より小さくできるので、液晶表示装置を大きくすることができ、従来の電子機器５より大画面化を実現することができる。
【００３１】
図９は、図８に示したスマートフォン１０における近接物体５０の検出を説明する斜視図である。表示画面１７の上の赤外線透過領域３６Ａから出射された赤外線ＩＲ１，一体型センサ３５から出射された赤外線ＩＲ２及び表示画面１７の上の赤外線透過領域３６Ｂから出射された赤外線ＩＲ３は、それぞれ近接物体５０で反射されて近接センサ３４に入力される。図３に示したように、近接センサ３４で検出された信号はＣＰＵ３７に送られる。ＣＰＵ３７は、近接センサ３４で受光した各赤外線ＩＲ１〜ＩＲ３の反射光の位相差を解析し、各赤外線ＩＲ１〜ＩＲ３を反射させた近接物体５０の位置をとらえることができ、とらえた位置の変化で近接物体５０の動きを検出できる。また、ＣＰＵ３７は、近接物体５０の移動方向の検出結果により、液晶表示装置１５の動作を停止させることが可能である。なお、検出された近接物体５０は、例えば人体の耳であることが想定される。
【００３２】
本出願の光学式物体検出装置による物体５０の検出範囲は、表示画面１７の上方１〜１０ｃｍ程度であり、近接物体５０の移動方向の検出結果により、タッチパネルのスクロール操作や、表示画面１７に表示された画面の変更、液晶表示装置のオンオフ等を行うことができる。
【００３３】
以上説明した本出願の実施例では、図４に示すように、赤外線ＬＥＤ３２は、近接センサ３４と一体的に形成されて一体型センサ３５となっている。しかし、赤外線ＬＥＤ３２は、近接センサ３４と一体的に形成せず、近接センサ３４の近傍に配置する構成の実施例が可能である。図１０は本出願の他の実施例の光学式物体検出装置を示すものである。図１０に示される実施例では、赤外線ＬＥＤ３２は、近接センサ３４と一体的に形成されておらず、近接センサ３４の近傍に配置されている。他の実施例における赤外線ＬＥＤ３２と近接センサ３４の構成以外の構成は、図４で説明した構成と同じであるので、同じ部材には同じ符号を付してこれ以上の説明を省略する。
【００３４】
なお、本実施形態の電子機器によれば、電子機器の筐体が大型化しないという効果がある。本実施形態の電子機器によれば、赤外線ＬＥＤの発光方向を液晶表示器のバックライト光源の発光方向と同じにすることにより、電子機器の筐体に専用の発光窓を設ける必要がないので、デザイン性を向上させることができる。本実施形態の電子機器によれば、液晶表示器の導光板と偏光板を利用して赤外線ＬＥＤからの出射光を表示器の上面方向にすることにより、赤外線ＬＥＤの配置の自由度が増すという効果がある。本実施形態の電子機器によれば、電子機器の筐体サイズに対して表示画面のサイズをより大きくすることができる効果がある。
【符号の説明】
【００３５】
１０    電子機器（スマートフォン）
１５    液晶表示装置
１７    表示画面
２０    液晶パネル
２１    導光板
２２    バックライト用ＬＥＤ
２３    反射板
２４    偏光板
２５    カラーフィルタ
２６    ＬＥＤアレイ
３１〜３３    赤外線ＬＥＤ
３４    近接センサ
３５    一体型センサ
３６    赤外線遮断板
３６Ａ，３６Ｂ    赤外線透過領域
４１    赤外線透過・可視光透過フィルタ
４２    赤外線カットフィルタ
４３    マスク
５０    物体
【図１】
2013061555.tif 000003
【図２】
2013061555.tif 000004
【図３】
2013061555.tif 000005
【図４】
2013061555.tif 000006
【図５】
2013061555.tif 000007
【図６】
2013061555.tif 000008
【図７】
2013061555.tif 000009
【図８】
2013061555.tif 000010
【図９】
2013061555.tif 000011
【図１０】
2013061555.tif 000012